(57)【要約】【課題】  印刷済みのシートに印刷を行う場合に、印刷済みのシートの印刷されている面に印刷を実行しないように制御する。【解決手段】    シートを格納するシート格納手段と、両面印刷のための両面搬送路を用いて前記シートを搬送する搬送手段と、シートに画像を印刷する印刷手段とを備える画像形成装置において、前記両面搬送路を用いて搬送される前記シートの面を読み取り、読み取った面が印刷済みの面である場合、前記両面搬送路を用いて搬送されるシートに対する印刷を制限する。一方、読み取った面が印刷済みの面でない場合、前記両面搬送路を用いて搬送されるシートに対する印刷を行う。【選択図】  図１０
2013235039.tif 000002
【特許請求の範囲】
【請求項１】
シートを格納するシート格納手段と、
両面印刷のための両面搬送路を用いて前記シートを搬送する搬送手段と、
シートに画像を印刷する印刷手段と、
前記シート格納手段から搬送される印刷済みのシートの印刷されていない面に画像を印刷する印刷モードを設定する設定手段と、
前記両面搬送路を用いて搬送される前記シートの面を読み取る読取手段と、
前記読取手段で読み取った面が印刷済みの面であるかどうかを判断する判断手段と、
前記印刷モードが設定された場合で、前記読取手段で読み取った面が印刷済みの面であると判断した場合、前記両面搬送路を用いて搬送されるシートに対する印刷を制限し、前記印刷モードが設定された場合で、前記読取手段で読み取った面が印刷済みの面でないと判断した場合、前記両面搬送路を用いて搬送されるシートに対する印刷を制御する印刷制御手段と、
を備えることを特徴とする画像形成装置。
【請求項２】
シートを格納するシート格納手段と、
両面印刷のための両面搬送路を用いて前記シートを搬送する搬送手段と、
シートに画像を印刷する印刷手段と、
前記シート格納手段から搬送される印刷済みのシートの印刷されていない面に画像を印刷する印刷モードを設定する設定手段と、
前記両面搬送路を用いて搬送される前記シートの両面を読み取る読取手段と、
前記読取手段で読み取った各面が印刷済みであるか印刷済みでないかを判断して印刷可能情報を生成する生成手段と、
前記生成手段が生成したシートの各面に対する印刷可能情報を保持する保持手段と、
前記印刷モードが設定された場合、前記保持手段に保持される印刷可能情報に基づいて、印刷済みでない面に前記印刷手段が画像を印刷するように前記シートの搬送を制御する搬送制御手段と、
を備えることを特徴とする画像形成装置。
【請求項３】
前記生成手段による印刷可能情報の生成を伴う読み取りを行う指定がなされているかどうかを判別する判別手段を有し、
前記印刷モードが設定された場合で、かつ前記印刷可能情報の生成を伴う読み取りを行う指定がなされていると判別した場合、前記読取手段が前記両面搬送路を用いて搬送される前記シートの両面を読み取ることを特徴とする請求項２記載の画像形成装置。
【請求項４】
前記シート格納手段は、第１面または第２面に画像が印刷された印刷済みのシートを格納することを特徴とする請求項１または２記載の画像形成装置。
【請求項５】
前記読取手段は、搬送される原稿の画像を読み取ることを特徴とする請求項１または２記載の画像形成装置。
【請求項６】
前記印刷手段は、前記読取手段が読み取る原稿の画像データに基づいて前記シート格納手段から搬送されるシートに画像を印刷することを特徴とする請求項１または２記載の画像形成装置。
【請求項７】
シートを格納するシート格納手段と、
シートに画像を印刷する印刷手段と、
前記シート格納手段から搬送される印刷済みのシートの印刷されていない面に画像を印刷する印刷モードを設定する設定手段と、
前記シート格納手段から搬送されるシートの面を読み取る読取手段と、
前記印刷モードが設定された場合で、前記読み取り手段で読み取った面が印刷済みの面でない場合に、前記シートに対する印刷を制御する印刷制御手段と、
を備えることを特徴とする画像形成装置。
【請求項８】
シートを格納するシート格納手段と、両面印刷のための両面搬送路を用いて前記シートを搬送する搬送手段と、シートに画像を印刷する印刷手段とを備える画像形成装置の制御方法であって、
前記シート格納手段から搬送される印刷済みのシートの印刷されていない面に画像を印刷する印刷モードを設定する設定工程と、
前記両面搬送路を用いて搬送される前記シートの面を読取手段で読み取る読取工程と、
前記読取手段で読み取った面が印刷済みの面であるかどうかを判断する判断工程と、
前記印刷モードが設定された場合で、前記読取手段で読み取った面が印刷済みの面であると判断した場合、前記両面搬送路を用いて搬送されるシートに対する印刷を制限し、前記印刷モードが設定された場合で、前記読取手段で読み取った面が印刷済みの面でないと判断した場合、前記両面搬送路を用いて搬送されるシートに対する印刷を制御する印刷制御工程と、
を備えることを特徴とする画像形成装置の制御方法。
【請求項９】
シートを格納するシート格納手段と、シートに画像を印刷する印刷手段とを備える画像形成装置の制御方法であって、
前記シート格納手段から搬送される印刷済みのシートの印刷されていない面に画像を印刷する印刷モードを設定する設定工程と、
前記シート格納手段から搬送されるシートの面を読取手段で読み取る読取工程と、
前記印刷モードが設定された場合で、前記読み取り手段で読み取った面が印刷済みの面でない場合に、前記シートに対する印刷を制御する印刷制御工程と、
を備えることを特徴とする画像形成装置の制御方法。
【請求項１０】
請求項８または９に記載の画像形成装置の制御方法をコンピュータに実行させることを特徴とするプログラム。
【発明の詳細な説明】
【技術分野】
【０００１】
本発明は、印刷済みのシートに画像を印刷する画像形成装置、画像形成装置の制御方法、及びプログラムに関するものである。
【背景技術】
【０００２】
下記特許文献１には、給紙部から排紙部に至る転写紙搬送経路中に画像読み取り手段を配設することで、原稿搬送系統と転写紙搬送系統を共通利用している。
【０００３】
上述のような画像形成装置の場合、給紙段の原稿に対して印刷手段で印刷する前に、読み取り手段によってその給紙段の原稿を読み取り、原稿の画像データを取得した後に、給紙段の原稿に対して印刷することが可能である。
【先行技術文献】
【特許文献】
【０００４】
【特許文献１】特開平２０００−１８５８８１号公報
【発明の概要】
【発明が解決しようとする課題】
【０００５】
近年、環境保護や資源節約が社会問題として取り上げられ、紙資源を節約するために、片面が既に印刷されている用紙（以後、Ｕ紙と表現する）を複写機やプリンタ装置等の画像形成装置で使用するケースが増えている。この場合、ユーザがＵ紙を画像形成装置が備える給紙トレイに再収容し、印刷されていない側の面（以下、印刷済みでない面と表現する）に対して選択的に印刷するという用紙（シート）の再利用が普及しつつある。
ところが、ユーザは、搬送経路と用紙の反転搬送処理とを正確に理解していないため、給紙トレイにＵ紙の表裏を間違えて収容する場合がある。このような場合には、既に印刷されている面（以下、印刷済み面と表現する）に重ねて画像が印刷されてしまい、意図した印刷物が得られないという課題があった。また、重ねて画像の印刷が意図しないものである場合、必要のない印刷を実行して印刷材や用紙が無駄となってしまう場合があった。
他方、印刷済みでない面であるか、印刷済みである面であるかを判定するためだけの画像読取部を設けるのは、コストなどの観点からは効率的とはいえない。
【０００６】
本発明は、上記の課題を解決するためになされたもので、本発明の目的は、印刷済みのシートに印刷を行う場合に、印刷済みのシートの印刷されている面に印刷を実行しないように制御できる仕組みを提供することである。
【課題を解決するための手段】
【０００７】
上記目的を達成する本発明の画像形成装置は以下に示す構成を備える。
シートを格納するシート格納手段と、両面印刷のための両面搬送路を用いて前記シートを搬送する搬送手段と、シートに画像を印刷する印刷手段と、前記シート格納手段から搬送される印刷済みのシートの印刷されていない面に画像を印刷する印刷モードを設定する設定手段と、前記両面搬送路を用いて搬送される前記シートの面を読み取る読取手段と、前記読取手段で読み取った面が印刷済みの面であるかどうかを判断する判断手段と、前記印刷モードが設定された場合で、前記読取手段で読み取った面が印刷済みの面であると判断した場合、前記両面搬送路を用いて搬送されるシートに対する印刷を制限し、前記印刷モードが設定された場合で、前記読取手段で読み取った面が印刷済みの面でないと判断した場合、前記両面搬送路を用いて搬送されるシートに対する印刷を制御する印刷制御手段と、を備えることを特徴とする。
また、シートを格納するシート格納手段と、シートに画像を印刷する印刷手段と、前記シート格納手段から搬送される印刷済みのシートの印刷されていない面に画像を印刷する印刷モードを設定する設定手段と、前記シート格納手段から搬送されるシートの面を読み取る読取手段と、前記印刷モードが設定された場合で、前記読み取り手段で読み取った面が印刷済みの面でない場合に、前記シートに対する印刷を制御する印刷制御手段と、を備えることを特徴とする。
【発明の効果】
【０００８】
本発明によれば、印刷済みのシートに印刷を行う場合に、印刷済みのシートの印刷されている面に印刷を実行しないように制御できる。
【図面の簡単な説明】
【０００９】
【図１】本実施形態を示す画像形成装置の構成を説明する断面図である。
【図２】本実施形態を示す画像形成装置における両面印刷プロセスを示す図である。
【図３】本実施形態を示す画像形成装置における原稿表面の読み取り開始時の状態を示す図である。
【図４】画像形成装置における原稿表面である第１面目の読み取り終了時の状態を説明する図である。
【図５】画像形成装置における原稿裏面である第二面目の読み取り開始時の状態を説明する図である。
【図６】画像形成装置における原稿裏面の読み取り終了時の状態を説明する図である。
【図７】画像形成装置における記録材への画像形成が完了した状態を説明する図である。
【図８】画像形成装置の制御構成を説明するブロック図である。
【図９】図１に示した画像読み取り部の構成を説明図である。
【図１０】本実施形態を示す画像形成装置の制御方法を説明するフローチャートである。
【図１１】本実施形態を示す画像形成装置の制御方法を説明するフローチャートである。
【図１２】本実施形態を示す画像形成装置の制御方法を説明するフローチャートである。
【発明を実施するための形態】
【００１０】
次に本発明を実施するための最良の形態について図面を参照して説明する。
＜システム構成の説明＞
〔第１実施形態〕
図１は、本実施形態を示す画像形成装置の構成を説明する断面図である。以下、画像形成プロセスについて説明する。本例は、複合機能付画像形成装置の例を示す。なお、本実施形態に示す画像形成装置において、後述する第１給紙部、第２の給紙部から給紙する用紙（シート）と呼び、第２給紙部から印刷に供しない用紙を原稿と呼んで区別する。ただし、第２給紙部は、印刷に供する用紙も給紙可能である。
【００１１】
図１において、画像形成装置１の中央には、像担持体となる回転可能な感光ドラム１０と、感光ドラム１０と並接し、トナーを保持しながら回転する現像ローラ１１が配置されている。印刷信号を受けると、光学ユニット２が具備する発光部２１が、回転する感光ドラム１０の表面にレーザ光を照射する。レーザ光を照射された感光ドラム１０の表面は、電荷による潜像画像を形成する。現像ローラ１１が回転しながら、感光ドラム１０表面の潜像画像に、保持しているトナーを供給すると、感光ドラム１０の表面には、トナー画像が形成される。
【００１２】
一方、第１給紙部３０に収納された記録材Ｓは、ＣＳＴピックアップローラ３１と分離手段３２により、一枚ずつ搬送ローラ４０に搬送される。搬送ローラ４０は、感光ドラム１０の表面のトナー画像と記録材Ｓの先端位置のタイミングを合わせるように、記録材Ｓを転写部１５へと搬送する。なお、シート格納手段としての第１給紙部３０には、すでにシートの面に印刷処理がなされた印刷済みのシートを新たに給紙するために収容することが可能である。また、給紙可能な印刷済みシートとして、最初に印刷する面を第１面と呼び、後続する反転処理で再給紙されて印刷される面を第２面と呼ぶ。また、第１給紙部３０には、当然の如く、第１面と第２面とが印刷済みでないシートも収容可能であることはいうまでもない。さらに、第１給紙部３０から両面フラッパ６１に通じる搬送経路を説明上、片面搬送路と呼び、両面印刷を実行しない場合にシートが搬送される際に使用される。
【００１３】
感光ドラム１０の回転により転写部１５に搬送されるトナー画像は、転写部１５に付与される印加バイアスと圧力によって、記録材Ｓに転写される。更に、転写部１５は、記録材Ｓを定着部５０に搬送する。定着部５０では、回転可能な加熱ローラ５１からの熱と、加熱ローラ５１と対向し、回転可能な加圧ローラ５２の圧力が、トナー画像を記録材Ｓに定着させる。トナー画像を定着された記録材Ｓは、排紙ローラ６０に搬送される。
片面印刷の場合、排紙ローラ６０は記録材Ｓをそのまま機外へ搬送し、記録材Ｓは第１排紙部７０に積載される。
また、画像形成装置１は、後述する図８にて説明をするコントローラ８００によって制御されている。
図２は、本実施形態を示す画像形成装置における両面印刷プロセスを示す図である。なお、図２において説明されない符号については、後述する図３〜図７において説明する。
【００１４】
図２において、両面フラッパ６１は、記録材Ｓの後端が通過した後、搬送路を切り替える。その後、排紙ローラ６０は逆回転し、記録材Ｓを両面搬送路８０へ搬送する。スイッチバックした記録材Ｓは、搬送ローラ４１を介して画像読み取り部１００に搬送される。その後、記録材Ｓは、搬送ローラ４２及び搬送ローラ４０に搬送され、再び転写部１５へ搬送され、トナー画像の転写、定着を経て、第１排紙部７０に積載されていく。
図３は、本実施形態を示す画像形成装置における原稿表面の読み取り開始時の状態を示す図である。以下、原稿情報の読み取りと、記録材への両面印刷を実施するプロセスについて説明する。
【００１５】
図３において、第２給紙部９０に収納された原稿Ｇは、ＣＩＳピックアップローラ９１と分離手段９２により、一枚ずつ搬送ローラ４１に搬送される。ここで、第２給紙部９０は、原稿給紙手段としても機能し、当該第２給紙部９０から給紙される原稿の面または印刷に供するシートの面は、画像読み取り部１００で読み取られる。つまり、画像読み取り部１００は、第１給紙部３０から給紙されるシートの面および第２給紙部９０から給紙される原稿またはシートの面をも読み取ることが可能に構成されている。
一方、画像読み取り部１００は、第２給紙部９０から給紙された原稿Ｇが原稿表面である第１面目の読み取り開始前までに白基準部材１０１への発光と、白基準値の修正を実施する。その後、駆動手段により駆動されて両面搬送路８０に対面する位置まで回転して停止する。搬送ローラ４１は、原稿Ｇを、画像読み取り部１００に搬送する。既に画像読み取り部１００は両面搬送路８０に対面する位置に待機しており、画像読み取り部１００で読み取られた情報は、図８にて詳細を説明する画像メモリ８０４に原稿第１面目の情報として記憶される。尚、白基準部材１０１は、下向きに配置されており、ごみ付着に対する配慮がなされている。
図４は、本実施形態を示す画像形成装置における原稿表面である第１面目の読み取り終了時の状態を説明する図である。
【００１６】
図４において、画像読み取り部１００を通過した原稿Ｇは、搬送ローラ４２に搬送される。搬送ローラ４２は、原稿Ｇの後端がスイッチバックフラッパ８２を通過した時点で停止する。よって、原稿Ｇは搬送ローラ４２に挟持された状態で停止する。所定時間の経過後、原稿専用搬送路８１へ搬送されるように構成されている。
図５は、本実施形態を示す画像形成装置における原稿裏面である第二面目の読み取り開始時の状態を説明する図である。
【００１７】
図５において、スイッチバックフラッパ８２が搬送路を、両面搬送路８０から原稿専用搬送路８１に切り替えると同時に、画像読み取り部１００は、原稿専用搬送路８１に対面する位置まで回転して停止する。搬送ローラ４２が逆回転すると、原稿Ｇは、原稿専用搬送路８１に沿って、画像読み取り部１００に搬送される。なお、画像読み取り部１００は、ＣＰＵ８０１が読み取りモードに従いその読み取り位置が制御されて位置決めされる。
【００１８】
原稿Ｇが画像読み取り部１００に搬送され通過することで、原稿裏面である第二面目の情報を読み取り、画像メモリ８０４に原稿第二面目の情報として記憶する。第１給紙部３０から給紙された記録材Ｓは１枚ずつ搬送ローラ４０に搬送される。ほぼ同時に画像メモリ８０４に記憶された原稿裏面である第二面目の情報を基に発光部２１から先の画像情報に基づく感光ドラム１０への潜像画像が形成される。次に記録材Ｓは転写部１５で潜像画像により形成されたトナー画像を転写された後、定着部５０等を搬送され、原稿第二面目の画像形成が完了する。
なお、図５では原稿裏面である第二面の情報を読み取り開始とともに記録材Ｓの給紙を開始しているが、第二面の情報を読み取ったのち記録材Ｓを搬送しても良い。
図６は、本実施形態を示す画像形成装置における原稿裏面の読み取り終了時の状態を説明する図である。
【００１９】
図６において、画像読み取りを終了した原稿Ｇは、搬送ローラ４３及び搬送ローラ４４に搬送され、第２排紙部１１０に積載される。スイッチバックフラッパ８２は、原稿Ｇの後端が通過すると、記録材Ｓが搬送ローラ４０の方向に搬送されるよう、搬送路を原稿専用搬送路８１から両面搬送路８０へ切り替える。原稿第二面目の画像形成が完了した記録材Ｓは、排紙ローラ６０の逆回転によって、記録材Ｓを両面フラッパ６１によって切り替えられた両面搬送路８０に向けて搬送する。
図７は、本実施形態を示す画像形成装置における記録材Ｓへの画像形成が完了した状態を説明する図である。
【００２０】
図７において、両面搬送路８０に搬送された記録材（シート）Ｓは、反転している画像読み取り部１００を通過し、搬送ローラ４２を介して、搬送ローラ４０に搬送される、更に搬送され破線で示されている記録材Ｓにあるように再び転写部１５へ搬送される。既に記録材Ｓには、原稿第二面目の画像形成が既に終了している。そこで、先の画像メモリ８０４に記憶された原稿第１面目の画像情報に基づき、原稿第１面目の画像が、光学ユニット２と感光ドラム１０と現像ローラ１１と転写部１５と定着部５０とを用いてトナー画像の転写処理及び定着処理がなされる。その後、当該シートは第１排紙部７０に積載されていく。
【００２１】
図８は、本実施形態を示す画像形成装置の制御構成を説明するブロック図である。以下、画像形成装置１の制御手段であるＣＰＵ８０１の周辺ユニットおよびＡＳＩＣ８０２の動作について説明する。以下、図１等に示したコントローラ８００の構成について説明する。
【００２２】
図８において、ＣＰＵ８０１は、ポリゴンミラー、モータ及びレーザ発光素子などを含む発光部２１に、ＡＳＩＣ８０２を介して接続されている。ＣＰＵ８０１は、感光ドラム１０面上にレーザ光を走査することにより所望の潜像を描くため、ＡＳＩＣ８０２に対して制御信号を出力することによって光学ユニット２の制御を行う。
【００２３】
同様に、ＣＰＵ８０１は、記録材Ｓを搬送するためにＣＳＴピックアップローラ３１及び搬送ローラ４０、感光ドラム１０、転写部１５、加熱ローラ５１、加圧ローラ５２を駆動するためのメインモータ８３０を制御する。さらに、ＣＰＵ８０１は、記録材Ｓを給紙する給紙ローラの駆動開始時にオンしてＣＳＴピックアップローラ３１を駆動させるためのＣＳＴ給紙ソレノイド８２２を制御する。さらに、ＣＰＵ８０１は、ＣＩＳピックアップローラ９１と搬送ローラ４１  ０４４を駆動するための両面モータ８４０などの駆動系を制御する。
【００２４】
さらにＣＰＵ８０１は、電子写真プロセスに必要な１次帯電、現像、１次転写、２次転写バイアスを制御する高電圧電源８１０、並びに定着部５０及び低電圧電源８１１を制御する。さらに、ＣＰＵ８０１は、定着部５０に設けられたサーミスタ（図示せず）により温度をモニタし、定着温度を一定に保つ制御を行う。
【００２５】
また、ＣＰＵ８０１は、バス等（図示せず）を介してプログラムメモリ８０３に接続されている。プログラムメモリ８０３には、以上の制御及び本明細書に記載される各実施形態においてＣＰＵ８０１が行う処理のすべて又は一部を実行するためのプログラム及びデータが格納される。すなわち、ＣＰＵ８０１は、プログラムメモリ８０３に格納されたプログラム及びデータを用いて本発明の各実施形態の動作を実行する。
【００２６】
ＡＳＩＣ８０２は、ＣＰＵ８０１の指示に基づいて発光部２１内部のモータ速度制御、メインモータ８３０および両面モータ８４０の速度制御を行う。モータの速度制御は、モータ（図示せず）からのタック信号（モータが回転されるごとにモータから出力されるパルス信号）を検出して、タック信号の間隔が所定の時間となるようモータに対し加速又は減速信号を出力して行う。
このように、コントローラ８００は、ＡＳＩＣ８０２のハードウエアによる回路で構成したほうが、ＣＰＵ８０１の制御負荷の低減が図れるメリットがある。
【００２７】
ＣＰＵ８０１は、ホストコンピュータ（図示せず）から指示されたプリントコマンドを受信すると、メインモータ８３０、両面モータ８４０、ＣＳＴ給紙ソレノイド８２２を駆動して記録材Ｓを搬送する。
【００２８】
記録材Ｓは、転写部１５により感光ドラム１０表面に形成されたトナー像が転写された後、定着部５０によりトナー像が定着されてから、排紙ローラ６０により記録材積載部としての第１排紙部７０へ排出される。画像形成済み記録材の整列性を高めるため、第１排紙部７０は排紙口付近から記録材排出方向に向けてゆるやかな上り勾配が設けられている。ここでＣＰＵ８０１は、定着部５０に対して低電圧電源８１１を介して所定の電力を供給することよって所望の熱量を発生させて記録材Ｓに与え、記録材上のトナー画像を融着し定着させる。
次に、本実施形態を示す画像形成装置１における原稿読取動作について説明する。
【００２９】
ＣＰＵ８０１は、ホストコンピュータ（図示せず）から指示されたスキャンコマンドを受信すると、両面フラッパソレノイド８２０、両面モータ８４０を駆動し、ＣＩＳ給紙ソレノイドを操作する。これにより、両面モータ８４０のトルクをＣＩＳピックアップローラ９１に伝達させ、原稿Ｇを搬送する。また画像読み取り部１００は、後述する各種制御信号であるＣＩＳＬＥＤ、ＣＩＳＳＴＡＲＴ、ＳＹＳＣＬＫ、Ｓｌ＿ｉｎ、Ｓｌ＿ｓｅｌｅｃｔ、Ｓｌ＿ｏｕｔによりＡＳＩＣ８０２に接続されている。ＣＰＵ８０１は、ＡＳＩＣ８０２を介して各種制御により画像読み取り部１００から読み取った画像をＡＳＩＣ８０２に接続されている画像メモリ８０４に保存する。
【００３０】
その後、ＣＰＵ８０１は、スイッチバックソレノイド８２１を操作して、スイッチバックフラッパ８２を原稿専用搬送路側に倒し、両面モータ８４０を反転し、原稿Ｇを第２排紙部１１０まで搬送をする。
次に、本実施形態を示す画像形成装置における通信動作について説明する。
ＣＰＵ８０１は、ネットワークインタフェース８５０を介してネットワーク１０００に接続することで、図示しないホストコンピュータ等と通信して画像情報やデバイス情報の入出力を行う。
図９は、図１に示した画像読み取り部の構成を説明図である。なお、イメージセンサとして、本実施形態では、ＣＩＳセンサ（Ｃｏｎｔａｃｔ  Ｉｍａｇｅ  Ｓｅｎｓｏｒ）を用いる例を示す。
【００３１】
図９において、９０１はコンタクトイメージセンサ（ＣＩＳ）部分であり、例えば１０３６８画素分のフォトダイオードが特定の主走査密度（例えば１２００ｄｐｉ）でアレイ状に配置される。９０２はＣＩＳセンサに与えるスタートパルスＣＩＳＳＴＡＲＴ信号である。９１５は転送クロックＣＩＳＣＬＫである。
９１４はＣＩＳセンサ部の動作速度を決めるシステムクロックＳＹＳＣＬＫである。９０８はＡ／Ｄコンバータである。９１６はＡ／Ｄコンバータのサンプリング速度を決定するＣＩＳサンプリングクロックＡＤＣＬＫである。９１７はタイミングジェネレータである。９０４は出力バッファである。９０５はシフトレジスタである。９０３は発光素子制御信号（ＣＩＳＬＥＤ）である。９０６は電流増幅手段である。９０７は原稿Ｇを均一に照射する発光素子である。
次に動作について説明する。
【００３２】
ＣＩＳＳＴＡＲＴ信号９０２をアクティブとすると、ＣＩＳセンサ部９０１は受光した光に基づく電荷の蓄積を開始し、出力バッファ９０４にデータを順次セットする。
【００３３】
次に、転送クロックＣＩＳＣＬＫ９１５（例えば５００ｋＨｚ  ０１ＭＨｚ程度）を与えると、出力バッファ９０４にセットされたデータは、シフトレジスタ９０５によって、ＣＩＳＳＮＳ信号９１８として、Ａ／Ｄコンバータ９０８ヘと転送される。
【００３４】
このＣＩＳＳＮＳ信号９１８には所定のデータ保証領域があるため、転送クロックＣＩＳＣＬＫ９１５の立ち上がりタイミングから所定の時間が経過したのちにサンプリングする必要がある。またＣＩＳＳＮＳ信号９１８は、転送クロックＣＩＳＣＬＫ９１５の立ち上がりと立下りの双方のエッジに同期して出力される。
【００３５】
そのため、ＣＩＳサンプリングクロックＡＤＣＬＫ９１６の周波数は、転送クロックＣＩＳＣＬＫ９１５の２倍となるように生成され、ＣＩＳサンプリングクロックＡＤＣＬＫ９１６の立ち上りエッジにて、ＣＩＳＳＮＳ信号９１８がサンプリングされる。タイミングジェネレータ９１７は、システムクロックＳＹＳＣＬＫ９１４を分周して、ＣＩＳサンプリングクロックＡＤＣＬＫ９１６および転送クロックＣＩＳＣＬＫ９１５を生成する。ＣＩＳサンプリングクロックＡＤＣＬＫ９１６の位相は、転送クロックＣＩＳＣＬＫ９１５と比べ、前記データ保証領域分だけ遅延している。
【００３６】
Ａ／Ｄコンバータ９０８でディジタル変換されたＣＩＳＳＮＳ信号９１８は、出力インタフェース回路９０９によって所定のタイミングで制御されて、Ｓｌ＿ｏｕｔ信号９１０にシリアルデータとして出力される。その際、スタートパルスＣＩＳＳＴＡＲＴ９０２から所定画素分のＣＩＳＳＮＳ信号９１８には、アナログ出力基準電圧が出力されており、有効画素としては使用できない。
一方、制御回路９１１によって、Ｓｌ＿ｉｎ信号９１２およびＳｌ＿ｓｅｌｅｃｔ信号９１３によりＡ／Ｄコンバータ９０８のＡ／Ｄ変換ゲインが可変制御できる。
【００３７】
例えば、撮像した映像のコントラストが得られない場合は、ＣＰＵ８０１はＡ／Ｄコンバータ９０８のＡ／Ｄ変換ゲインを大きくすることによりコントラストを増加させ、常に最良なコントラストで撮像することができる。
【００３８】
ここでは、すべての画素が一つのＣＩＳＳＮＳ信号９１８として出力される系にて説明を行なったが、高速読み取りのために画素をエリアごとに分割し、複数エリアを同時にＡ／Ｄ変換を行なっても良い。また、ここまで画像読み取り部１００にＣＩＳセンサを用いて説明を行なってきたものの、ＣＭＯＳセンサやＣＣＤセンサ等にて置き換え可能であることは言うまでもない。
【００３９】
次に、印刷する前に原稿読み取り手段により原稿読み取りを行い、印刷済みでない面および印刷済みの面のいずれであるかを判定する場合のプロセスについて説明する。
【００４０】
図１０は、本実施形態を示す画像形成装置の制御方法を説明するフローチャートである。本例は、裏面印刷モードが設定された場合に、印刷する前に画像読み取り部１００を用いて第１給紙部３０より給紙されるシートの裏面の読み取りを行い、印刷済みでない面および印刷済みの面のいずれであるかを判定する場合の印刷処理例である。本実施形態において、裏面印刷モードとは、シートの片面に既に印刷されているシートの裏面に印刷するモードをいう。
なお、各ステップは、制御部５のＣＰＵ８０１がプログラムメモリ８０３に格納された制御プログラムを実行することにより実現される。以下、本実施形態では、制御主体をＣＰＵ８０１として印刷制御および搬送制御について詳述する。
Ｓ１００１において、ＣＰＵ８０１は、ネットワークインタフェース８５０を介して図示しない情報処理装置から印刷信号（印刷指示）を受け付ける。
【００４１】
Ｓ１００２において、ＣＰＵ８０１はプログラムメモリ８０３に格納されている設定情報を参照し、印刷用紙を給紙する給紙部の設定が第１給紙部３０であるか、第２給紙部９０であるかを判断する。なお、給紙部の設定は、図示しない操作部で設定されるものか、ネットワークインタフェース８５０を用いてホストから設定されるものとする。
ここで、印刷用紙が第１給紙部３０から給紙される設定であるとＣＰＵ８０１が判断した場合、Ｓ１００３へ進む。一方、印刷用紙が第２給紙部９０から給紙されるとＣＰＵ８０１が判断した場合、ＣＰＵ８０１からの指示により、ＣＩＳピックアップローラ９１と分離手段９２は、第２給紙部９０に収納された記録材Ｓを搬送ローラ４１に搬送し、Ｓ１００４へ進む。
【００４２】
Ｓ１００３では、ＣＰＵ８０１からの指示により、第１給紙部３０に収納された記録材Ｓは、ＣＳＴピックアップローラ３１と分離手段３２により、一枚ずつ搬送ローラ４０に搬送される。搬送ローラ４０は、記録材Ｓを転写部１５へと搬送する。転写部１５では、転写ローラが駆動することにより、搬送された記録材Ｓに画像を転写した後、当該記録材Ｓを定着部５０に搬送する。更に、定着部５０では、定着ローラが駆動することにより、熱定着処理が施された記録材Ｓを排紙ローラ６０に搬送する。
両面フラッパ６１は、ＣＰＵ８０１の指示により記録材Ｓの後端が通過した後、搬送路を両面搬送路側に切り替える。その後、排紙ローラ６０は、ＣＰＵ８０１の指示で逆回転し、定着パスとは異なる搬送パスを介して記録材Ｓを搬送ローラ４１へ搬送する。そして、記録材Ｓは、さらに両面搬送路８０へ搬送されて行く。
【００４３】
Ｓ１００４では、ＣＰＵ８０１からの指示により、図３において説明したように、読み取り面が両面搬送路８０に対面した状態の画像読み取り部１００が記録材Ｓの第１面目を読み取る。この際、ＣＰＵ８０１は、読み取られた画像データを、画像メモリ８０４に記憶させる。
次に、画像読み取り部１００を通過した記録材Ｓは、搬送ローラ４２に搬送される。搬送ローラ４２は、記録材Ｓの後端がスイッチバックフラッパ８２を通過した時点で停止する。よって、記録材Ｓは搬送ローラ４２に挟持された状態で停止する。
【００４４】
Ｓ１００５では、ＣＰＵ８０１は、先のＳ１００４で、画像メモリ８０４に記憶された原稿第１面目の情報（画像データ）を解析して印刷されている面（印刷済み面）であるか否か判断するための処理を行う。
具体的には、ＣＰＵ８０１は、Ｓ１００４で画像メモリ８０４に記憶された原稿第１面目の情報を二値化する。そして、ＣＰＵ８０１は二値化した原稿第１面目の情報を走査して、画素の値が「０」でない画素が含まれるか否かを判定する。画素の値が「０」でない画素が含まれていると判断した場合、印刷済み（印刷済みの印刷面）と判断する。一方、画素の値が全て「０」であった場合には、印刷済みでない面と判断する。なお、その判断基準に所定のしきい値を設定して、印刷面であるか否かを判断するように制御してもよい。
【００４５】
Ｓ１００６において、読み取った原稿第１面目が印刷済みであるかどうかを判断し、印刷済みでないとＣＰＵ８０１が判断した場合は、当該読み取り面が印刷可能面であると判断する。ここで、読み取った面が「印刷可能面」であるとＣＰＵ８０１が判断した場合には、Ｓ１００７へ進み、「印刷可能面」でないとＣＰＵ８０１が判断した場合にはＳ１００８へ進む。
【００４６】
Ｓ１００７では、ＣＰＵ８０１は、Ｓ１００４で搬送ローラ４２に挟持された状態の記録材Ｓを搬送ローラ４２により、当該読み取り面に画像形成を行うため搬送ローラ４０へ搬送する。搬送ローラ４０は、感光ドラム１０の表面のトナー画像と記録材Ｓの先端位置のタイミング（レジストタイミング）を合わせるように、記録材Ｓを転写部１５へと搬送する。
感光ドラム１０の回転により転写部１５に搬送されるトナー画像は、転写部１５に付与される印加バイアスと圧力によって、記録材Ｓに転写される。
更に、転写部１５は、記録材Ｓを定着部５０に搬送する。定着部５０では、回転可能な加熱ローラ５１からの熱と、加熱ローラ５１と対向し、回転可能な加圧ローラ５２の圧力が、トナー画像を記録材Ｓに定着させる。トナー画像を定着された記録材Ｓは、排紙ローラ６０に搬送される。排紙ローラ６０は記録材Ｓをそのまま機外へ搬送し、記録材Ｓは、第１排紙部７０に積載される。
このとき、排紙ローラ６０に搬送された記録材Ｓに対して、図２で述べた両面印刷プロセスを実行する際に、裏面（印刷可能面でない面）に対して裏面であることを示す画像を印刷してもよい。なお、当該裏面であることを示す画像は、プログラムメモリ８０３にあらかじめ記憶されているものとする。さらに、当該画像を印刷する位置も印刷面に影響のすくない位置、あるいはユーザが設定する位置に印刷するように制御してもよい。あるいは、印刷レポートとして、最後に印刷すべきシートを排紙した後に印刷するように制御してもよい。
【００４７】
一方、Ｓ１００８では、読み取った面が印刷可能面でないと判断された場合あるため、搬送ローラ４２に挟持された状態の記録材Ｓを搬送ローラ４２により搬送ローラ４０へ搬送する。搬送ローラ４０は、記録材Ｓを転写部１５へと搬送する。なお、この際、印刷処理された画像を転写することは実行されない。
そして、転写部１５は、記録材Ｓを定着部５０に搬送する。更に定着部５０は、記録材Ｓを排紙ローラ６０に搬送する。排紙ローラ６０は、記録材Ｓをそのまま機外へ搬送し、記録材Ｓは第１排紙部７０に積載される。なお、複数ページ印刷する場合は、別途最終ページであるかどうかを判断する処理を加えてＳ１００２〜Ｓ１００８を繰り返せばよい。
【００４８】
以上の通り、本実施形態の構成により、裏面印刷モードを設定した場合、ユーザが第１給紙部３０に用紙の表裏を間違えて収容した場合でも、印刷可能面のみに画像を印刷することが可能となる。また、Ｕ紙の印刷済み面に対して裏面であることを示す画像も印刷することが可能となり、印刷用紙の裏表のいずれが表面かをユーザが理解しやすくなり便利である。
〔第２実施形態〕
【００４９】
第１実施形態では、Ｕ紙の印刷済み面から原稿読み取りされた場合、そのまま排紙されるので、印刷可能面に対しても印刷が実行されない場合ある。また、Ｕ紙として給紙トレイに収容されているが実はＵ紙でなく、両面が印刷可能面である場合、片面に裏面であることを示す画像が印刷される場合がある。本実施形態では、これらの課題に対する本発明を適用した画像形成装置を紹介する。
【００５０】
図１１は、本実施形態を示す画像形成装置の制御方法を説明するフローチャートである。本例は、印刷する前に画像読み取り部１００を用いて給紙されるシート（原稿）の読み取りを行い、未印刷面および既印刷面のいずれであるかを判定する場合の印刷処理例である。なお、各ステップは、制御部５のＣＰＵ８０１がプログラムメモリ８０３に格納された制御プログラムを実行することにより実現される。また、図１１におけるＳ１００１〜Ｓ１００３に関しては図１０におけるＳ１００１〜Ｓ１００３と同じであるため、対応するステップの説明は省略する。なお、プログラムメモリ８０３は、書き込み可能なメモリで構成されているものとする。以下、本実施形態では、制御主体を制御部５のＣＰＵ８０１として印刷制御および搬送制御について詳述する。
【００５１】
Ｓ１１０１において、ＣＰＵ８０１からの指示により、画像読み取り部１００により図３の説明で述べたプロセスに従い記録材Ｓの両面を読み取らせる。この際、ＣＰＵ８０１は、プログラムメモリ８０３を参照し、読み取り面情報が保持されていない場合は、読み取り面が第１面であると判断する。また、ＣＰＵ８０１はプログラムメモリ８０３を参照し、読み取り面情報に第１面である旨が保持されていると判断した場合は、給紙されて読み取られた用紙の読み取り面が第二面と判断する。
また、次に、画像読み取り部１００を通過した記録材Ｓは、搬送ローラ４２に搬送される。搬送ローラ４２は、記録材Ｓの後端がスイッチバックフラッパ８２を通過した時点で停止する。よって、記録材Ｓは、搬送ローラ４２に挟持された状態で停止する。
【００５２】
Ｓ１１０２では、ＣＰＵ８０１は、Ｓ１１０１で画像メモリ８０４に記憶された原稿面の情報（画像データ）を解析して印刷されているか否か判断するための処理を行う。具体的には、ＣＰＵ８０１は前記Ｓ１１０１で画像メモリ８０４に記憶された原稿第１面目の情報を二値化する。ＣＰＵ８０１は、二値化した原稿第１面目の情報を走査して、画素の値が「０」でない画素が含まれるか否かを判断する。画素の値が「０」でない画素が含まれていると判断した場合、印刷済みと判断する。そして、その画素の値が全て「０」であると判断した場合には、ＣＰＵ８０１は、印刷済みでないと判断する。
【００５３】
Ｓ１１０３において、ＣＰＵ８０１は、第１給紙部３０から給紙したシートの両面を読み取りが済んでいるかどうかを判断し、読み取りが済んでいないと判断した場合は、Ｓ１１０４へ進む。
ここで、第１給紙部３０から給紙したシートの両面を読み取りが済んでいるとＣＰＵ８０１が判断した場合、ＣＰＵ８０１は、読み取ったシートの面が印刷済みであるのかを判断して、印刷済みでないと判断した場合、印刷可能面であると判断する。具体的には、ＣＰＵ８０１は二値化した原稿の第１面目の情報を走査して画素の値が「０」である場合には、印刷済みでないと判断する。また、ＣＰＵ８０１は、プログラムメモリ８０３に記録されている読み取り面情報と印刷可能面であるかの判断結果を印刷可能情報として記録する。
また、ＣＰＵ８０１は、プログラムメモリ８０３に記録されている読み取り面情報が第二面である旨が記録された場合は、読み取り面情報をプログラムメモリ８０３から削除し、Ｓ１１０５へ進む。ＣＰＵ８０１は、プログラムメモリ８０３に記録されている読み取り面情報が第１面である旨が記録された場合は、Ｓ１１０４へ進む。
【００５４】
Ｓ１１０４では、ＣＰＵ８０１は、搬送ローラ４２を駆動させることで、搬送ローラ４２に挟持された状態の記録材Ｓを搬送ローラ４２により搬送ローラ４０へ搬送する。搬送ローラ４０は、記録材Ｓを転写部１５へと搬送する。転写部１５は、記録材Ｓを定着部５０に搬送する。更に定着部５０は、記録材Ｓを排紙ローラ６０に搬送する。両面フラッパ６１は、記録材Ｓの後端が通過した後、搬送路を切り替える。その後、排紙ローラ６０は逆回転し、記録材Ｓを搬送ローラ４１へ搬送する。
【００５５】
Ｓ１１０５において、ＣＰＵ８０１は、プログラムメモリ８０３に記録されている印刷可能情報を参照し、第二面が印刷可能面であるか否かを判断する。第二面が印刷可能面であるとＣＰＵ８０１が判断した場合には、Ｓ１１０６へ進む。第二面が印刷可能面でないとＣＰＵ８０１が判断した場合には、Ｓ１１０９へ進む。
【００５６】
Ｓ１１０６において、ＣＰＵ８０１は、プログラムメモリ８０３に記録されている印刷可能情報を参照し、第１面が印刷可能面であるか否かを判断する。ここで、第１面が印刷可能面であるとＣＰＵ８０１が判断した場合には、Ｓ１１０７へ進む。一方、第１面が印刷可能面でないとＣＰＵ８０１が判断した場合には、Ｓ１１０８へ進む。
【００５７】
Ｓ１１０７では、記録材Ｓの両面が印刷可能な場合（両面が白紙となるシートの場合）であるので、第１の印刷処理を実行する。具体的には、ＣＰＵ８０１は、搬送ローラ４２に挟持された状態の記録材Ｓを搬送ローラ４２により搬送ローラ４０へ搬送する。搬送ローラ４０は、感光ドラム１０の表面のトナー画像と記録材Ｓの先端位置のタイミングを合わせるように、記録材Ｓを転写部１５へと搬送する。感光ドラム１０の回転により転写部１５に搬送されるトナー画像は、転写部１５に付与される印加バイアスと圧力によって、記録材Ｓに転写される。更に、転写部１５は、記録材Ｓを定着部５０に搬送する。
定着部５０では、回転可能な加熱ローラ５１からの熱と、加熱ローラ５１と対向し、回転可能な加圧ローラ５２の圧力が、トナー画像を記録材Ｓに定着させる。トナー画像を定着された記録材Ｓは、排紙ローラ６０に搬送される。排紙ローラ６０は、記録材Ｓをそのまま機外へ搬送し、記録材Ｓは第１排紙部７０に積載される。
このとき、印刷指示が両面印刷の場合、排紙ローラ６０に搬送された記録材Ｓに対して、図２で述べた両面印刷プロセスを実行して印刷して、本処理を終了する。
【００５８】
一方、Ｓ１１０８では、記録材Ｓの片面が印刷可能で、かつ、記録材Ｓに対する印刷面が印刷可能面になっている場合の第２の印刷処理を行う。具体的には、ＣＰＵ８０１は前記Ｓ１００７と同様の処理を行う。
【００５９】
Ｓ１１０９において、ＣＰＵ８０１は、プログラムメモリ８０３に記録されている印刷可能情報を参照し、第１面が印刷可能面であるか否かを判断する。第１面が印刷可能面であるとＣＰＵ８０１が判断した場合には、Ｓ１１１０へ進む。第１面が印刷可能面でないとＣＰＵ８０１が判断した場合には、Ｓ１１１２へ進む。
【００６０】
Ｓ１１１０とＳ１１１１では、記録材Ｓの片面が印刷可能で、かつ、記録材Ｓに対する印刷面が印刷可能面になっていない場合の第３の印刷処理を行う。具体的には、本処理では、印刷可能面に転写されるよう記録材Ｓを反転させる必要がある。そのため、Ｓ１１１０において、ＣＰＵ８０１は搬送ローラ４２に挟持された状態の記録材Ｓを搬送ローラ４２により搬送ローラ４０へ搬送する。搬送ローラ４０は、記録材Ｓを転写部１５へと搬送する。そして、転写部１５では、記録材Ｓを定着部５０に搬送する。更に定着部５０は、記録材Ｓを排紙ローラ６０に搬送する。両面フラッパ６１は、記録材Ｓの後端が通過した後、搬送路を切り替える。その後、排紙ローラ６０は逆回転し、記録材Ｓを搬送ローラ４１へ搬送する。
このとき、搬送される記録材Ｓに対して、図１で述べた印刷プロセスの要領で、裏面（印刷可能面でない面）に対して裏面であることを示す画像を印刷してもよい。
【００６１】
Ｓ１１１１において、スイッチバックした記録材Ｓは、搬送ローラ４１を介して画像読み取り部１００に搬送される。その後、記録材Ｓは、搬送ローラ４２及び４０に搬送され、再び転写部１５へ搬送され、トナー画像の転写、定着を経て、第１排紙部７０に積載されて、本処理を終了する。
【００６２】
Ｓ１１１２では、記録材Ｓの両面が印刷可能面でない（印刷できない）場合の処理を行う。具体的には、Ｓ１１１２において、搬送ローラ４２に挟持された状態の記録材Ｓを搬送ローラ４２により搬送ローラ４０へ搬送する。搬送ローラ４０は、記録材Ｓを転写部１５へと搬送する。転写部１５は、記録材Ｓを定着部５０に搬送する。更に定着部５０は、記録材Ｓを排紙ローラ６０に搬送する。排紙ローラ６０は記録材Ｓをそのまま機外へ搬送し、記録材Ｓは第１排紙部７０に積載して、本処理を終了する。
なお、複数ページ印刷する場合は、処理したページが最終ページであるかどうかを判断する処理を加えて、Ｓ１００２〜Ｓ１１１２を繰り返せばよい。
【００６３】
本実施形態によれば、ユーザが第１給紙部３０にＵ紙の表裏を間違えて収容した場合でも、意図した印刷面に画像を印刷することが可能となる。また、Ｕ紙の既印刷面に対して裏面であることを示す画像も印刷することが可能となり、印刷用紙の裏表のいずれが表面かを理解しやすくなる。
〔第３実施形態〕
【００６４】
本実施形態では、ユーザによる印刷指示時にＵ紙が給紙トレイに収容されていることを想定し、意図した印刷面に画像を印刷する処理を行う否かの確認を可能とする画像形成装置を説明する。
【００６５】
図１２は、本実施形態を示す画像形成装置の制御方法を説明するフローチャートである。本例は、印刷する前に画像読み取り部１００を用いて給紙されるシート（原稿）の読み取りを行い、未印刷面および既印刷面のいずれであるかを判定する場合の印刷処理例である。なお、各ステップは、制御部５のＣＰＵ８０１がプログラムメモリ８０３に格納された制御プログラムを実行することにより実現される。また、図１１におけるＳ１００１〜Ｓ１００３に関しては図１０におけるＳ１００１〜Ｓ１００３および図１１におけるＳ１１０１〜Ｓ１１１２と同じであるため、対応するステップの説明は省略する。なお、プログラムメモリ８０３は、書き込み可能なメモリで構成されているものとする。以下、本実施形態では、制御主体をＣＰＵ８０１として印刷制御に基づいて印刷実行を制限する処理および搬送制御について詳述する。なお、本実施形態では、印刷可能情報の生成を伴う読み取りを行う指定がなされているかどうかをＳ１２０２で判別する処理を行う。
Ｓ１２０１において、ＣＰＵ８０１は、上述したように印刷信号を受け付ける。このとき、印刷信号はＰＣなどの情報処理装置からユーザ操作により印刷用ドライバ経由で画像形成装置に送信される。
【００６６】
Ｓ１２０２において、ＣＰＵ８０１は、印刷可能面の確認処理を行うか否かの判定を行う。このとき、判定基準となる情報は、画像形成装置のプログラムメモリ８０３に画像形成装置の設定値情報として保存されていてもよい。
また、前記情報端末からのユーザ操作時にユーザが印刷可能面の確認処理を行うか否かの指示を入力してもよい。
この場合、情報処理装置から印刷信号とともに前記ユーザの指示内容を画像形成装置に送信し、ＣＰＵ８０１がユーザの指示内容から印刷可能面の確認処理を行うか否かを判定する。ここで、当該判定結果、印刷可能面の確認処理を行うとＣＰＵ８０１が判断した場合はＳ１００２へ進む。一方、当該判定結果、印刷可能面の確認処理を行わないとＣＰＵ８０１が判断した場合はＳ１２０３へ進む。
【００６７】
Ｓ１２０３では、ＣＰＵ８０１は、図１の説明で述べた印刷処理を実行する。また、印刷指示が両面印刷であった場合には、図１の処理を実行後、図１の説明で述べた印刷処理を実行する。
【００６８】
本実施形態によれば、ユーザによる印刷指示時にＵ紙が給紙トレイに収容されていることを想定し、意図した印刷面に画像を印刷する処理を行う否かを指示することが可能となる。このことにより、印刷可能面の確認処理を行う必要がない場合、印刷指示から印刷物が出力されるまでのユーザの印刷待ち時間を削減することができる。
各実施形態によれば、裏面印刷モード時に印刷済みシートを給紙して印刷を行う場合に、給紙されたシートの印刷面が印刷済みである場合には、当該給紙されたシートの印刷面に印刷を実行しないように制御できる。
【００６９】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００７０】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００７１】
１  画像形成装置
１０  第１給紙部
１００  画像読み取り部
８０１  ＣＰＵ
８０２  ＡＳＩＣ
８０３  プログラムメモリ
８０４  画像メモリ
【図１】
2013235039.tif 000003
【図２】
2013235039.tif 000004
【図３】
2013235039.tif 000005
【図４】
2013235039.tif 000006
【図５】
2013235039.tif 000007
【図６】
2013235039.tif 000008
【図７】
2013235039.tif 000009
【図８】
2013235039.tif 000010
【図９】
2013235039.tif 000011
【図１０】
2013235039.tif 000012
【図１１】
2013235039.tif 000013
【図１２】
2013235039.tif 000014